(57)【要約】【課題】本発明は、ランプカバーを取り替えることができ、且つ異なる配光曲線を有するランプを提供することを目的とする。【解決手段】本発明に係るランプは、収容凹部を有するランプハウジング、前記収容凹部に収容される電気回路基板、前記収容凹部に収容され且つ前記電気回路基板に電気接続する少なくとも１つの発光素子、及び前記ランプハウジングの前記収容凹部から背離する一端に接続する口金を含む電球本体と、前記ランプハウジングに設置されて前記収容凹部に収容された少なくとも１つの発光素子を覆うランプカバーと、を備え、前記ランプカバーは、透光部及び連接部を備え、前記連接部は、前記ランプハウジングの前記収容凹部を有する一端に螺合し、前記透光部は、前記収容凹部に対向して設置され、少なくとも１つの前記発光素子からの光線は前記透光部から射出する。【選択図】図１
2011034969.tif 000002
【特許請求の範囲】
【請求項１】
収容凹部を有するランプハウジング、前記収容凹部に収容される電気回路基板、前記収容凹部に収容され且つ前記電気回路基板に電気接続する少なくとも１つの発光素子、及び前記ランプハウジングの前記収容凹部の反対側の一端に接続する口金を含む電球本体と、
前記ランプハウジングに設置されて、前記収容凹部に収容された少なくとも１つの発光素子を覆うランプカバーと、
を備えてなるランプであって、
前記ランプカバーは、透光部及び連接部を備え、前記連接部は、前記ランプハウジングの前記収容凹部を有する一端に螺合し、前記透光部は、前記収容凹部に対向して設置され、少なくとも１つの前記発光素子からの光線は前記透光部を介して射出されることを特徴とするランプ。
【請求項２】
前記透光部は、少なくとも１つの前記発光素子に近い入光面及び前記入光面に対向する出光面を有し、前記連接部は、前記透光部の前記入光面を有する一側に連接することを特徴とする請求項１に記載のランプ。
【請求項３】
前記入光面には、前記出光面に向かって凹んだ凹部が形成されることを特徴とする請求項２に記載のランプ。
【請求項４】
前記凹部の底面は、前記電気回路基板に対して斜めに形成される斜面及び前記斜面に連接する曲面を備えることを特徴とする請求項３に記載のランプ。
【請求項５】
前記入光面は、凸曲面及び該凸曲面に接続する円弧曲面を有することを特徴とする請求項３に記載のランプ。
【請求項６】
前記入光面には、前記発光素子と光学的にカップリングする台形の鋸歯状突起が形成されることを特徴とする請求項２に記載のランプ。
【請求項７】
前記出光面又は前記入光面には、鋸歯状突起が形成されることを特徴とする請求項２に記載のランプ。
【請求項８】
前記出光面には、漏斗状凹部が形成されることを特徴とする請求項２に記載のランプ。
【発明の詳細な説明】
【技術分野】
【０００１】
本発明は、ランプに関するものであって、特にランプカバーを便利に取り替えることができ且つ異なる配光曲線を有するランプに関するものである。
【背景技術】
【０００２】
発光ダイオード(Light Emitting Diode, LED)は、高輝度、低消費電力、長寿命、低汚染である等の利点を有することから、いろいろな室内ランプ及び室外ランプに広く応用される。
【０００３】
従来のＬＥＤ電球において、電球本体とランプカバーとを分離することができず、また前記ＬＥＤ電球は固定の配光曲線を有する。前記ＬＥＤ電球のランプカバーが損壊した場合、前記ＬＥＤ電球全体が廃品になるため、非常に大きい浪費を招く。なお、従来のＬＥＤ電球は、一定の配光曲線を有するため、異なる配光曲線を必要とする使用環境に適応しない。
【発明の開示】
【発明が解決しようとする課題】
【０００４】
本発明の目的は、前記課題を解決し、ランプカバーを取り替えることができ、且つ異なる配光曲線を有するランプを提供することである。
【課題を解決するための手段】
【０００５】
本発明に係るランプは、収容凹部を有するランプハウジング、前記収容凹部に収容される電気回路基板、前記収容凹部に収容され且つ前記電気回路基板に電気接続する少なくとも１つの発光素子、及び前記ランプハウジングの前記収容凹部から背離する一端に接続する口金を含む電球本体と、前記ランプハウジングに設置されて前記収容凹部に収容された少なくとも１つの発光素子を覆うランプカバーと、を備え、前記ランプカバーは、透光部及び連接部を備え、前記連接部は、前記ランプハウジングの前記収容凹部を有する一端に螺合し、前記透光部は、前記収容凹部に対向して設置され、少なくとも１つの前記発光素子からの光線は前記透光部を介して射出される。
【発明の効果】
【０００６】
本発明に係わるランプにおいて、ランプカバーは連接部及び透光部を備え、前記連接部はランプハウジングの収容凹部を有する一端に螺合し、前記透光部は前記収容凹部に対向して設置され、少なくとも１つの発光素子からの光線は前記透光部から射出する。前記ランプカバーは電球本体に螺合するため、前記ランプカバーと前記電球本体とは分離可能であり、異なる形状のランプカバーを便利に取り替えることができ、従って異なる配光曲線を必要とする使用環境に適応し、電球本体の利用率を高める。
【図面の簡単な説明】
【０００７】
【図１】本発明の第一実施形態に係る第一種のランプカバーを有するランプの構造を示す図である。
【図２】本発明の第一実施形態に係るランプに使用する第二種のランプカバーを示す図である。
【図３】本発明の第二実施形態に係る第一種のランプカバーを有するランプの構造を示す図である。
【図４】本発明の第二実施形態に係るランプに使用する第二種のランプカバーを示す図である。
【図５】本発明の第二実施形態に係るランプに使用する第三種のランプカバーを示す図である。
【図６】本発明の第二実施形態に係るランプに使用する第四種のランプカバーを示す図である。
【図７】本発明の第二実施形態に係るランプに使用する第五種のランプカバーを示す図である。
【図８】本発明の第二実施形態に係るランプに図７に示す第五種のランプカバーを使用する時の配光曲線図である。
【図９】本発明の第二実施形態に係るランプに使用する第六種のランプカバーを示す図である。
【図１０】本発明の第二実施形態に係るランプに使用する第七種のランプカバーを示す図である。
【発明を実施するための最良の形態】
【０００８】
以下、図面を参照して、本発明の実施形態について説明する。
【０００９】
図１を参照すると、本発明の第一実施形態に係るランプ１００は、ランプカバー１０及び電球本体１１を備える。
【００１０】
前記電球本体１１は、環形収容凹部１１５を有するランプハウジング１１１と、電気回路基板１１２と、少なくとも１つの発光素子１１３と、外部に設けられたソケットの受金に螺合する口金１１４と、を備える。
【００１１】
前記発光素子１１３は、発光ダイオード又は発光ダイオードチップである。
【００１２】
前記電気回路基板１１２は、前記環形収容凹部１１５に収容されており、前記発光素子１１３は、前記電気回路基板１１２に電気接続する。前記環形収容凹部１１５の内周面には、雌ねじが形成されている。
【００１３】
前記ランプカバー１０は、透光部１０１及び連接部１０２を備える。前記連接部１０２の外周面には、雄ねじが形成されている。前記ランプカバー１０の連接部１０２を前記電球本体１１の環形収容凹部１１５に螺合すると、前記透光部１０１は、前記環形収容凹部１１５に対向して設置され、前記発光素子１１３からの光線は、前記透光部１０１を介して射出される。
【００１４】
前記ランプカバー１０は、透光体であり、樹脂、エポキシ樹脂、シリコンゴム、高分子ポリマー、透明ポリエステル光学材料、アクリル、ガラスなどの透光材料からなる。
【００１５】
前記口金１１４は、前記ランプハウジング１１１の前記環形収容凹部１１５の反対側の一端に接続する。
【００１６】
本実施形態において、前記ランプカバー１０は、前記連接部１０２によって前記ランプハウジング１１１の前記環形収容凹部１１５を有する一端に螺合するため、前記電球本体１１から前記ランプカバー１０を便利に取り外すことができる。
【００１７】
前記ランプカバー１０は、出光面１０１ａ及び入光面１０１ｂを有する。前記入光面１０１ｂは、前記出光面１０１ａに向かって凹んだ凹部１０３を形成する。前記入光面１０１ｂには、蛍光粉が塗布されており、異なる種類の蛍光粉によって前記ランプ１００の発光色を変更する。前記ランプカバー１０の外形は、円柱状、六角形状、銃弾形状などであることができる。
【００１８】
図２に示したように、本発明の第一実施形態に係るランプ１００に使用する第二種のランプカバー３０は、出光面３０１及び入光面３０２を備える。前記出光面３０１は、半球面状の輪郭を有する。前記ランプカバー３０には、前記出光面３０１及び前記入光面３０２を貫く複数の貫通孔３０３が設けられている。複数の前記貫通孔３０３は、前記ランプ１００内外の空気対流を促して、前記ランプ１００の放熱効率を高める。
【００１９】
図３を参照すると、本発明の第二実施形態に係わるランプ２００は、ランプカバー２０及び電球本体２１を備える。
【００２０】
前記電球本体２１は、環形収容凹部２１５を有するランプハウジング２１１と、電気回路基板２１２と、少なくとも１つの発光素子２１３と、外部に設けられたソケットの受金に螺合する口金２１４と、を備える。
【００２１】
前記発光素子２１３は、発光ダイオード又は発光ダイオードチップである。
【００２２】
前記電気回路基板２１２は、前記環形収容凹部２１５に収容されており、前記発光素子２１３は、前記電気回路基板２１２に電気接続する。前記環形収容凹部２１５の内周面には、雌ねじが形成されている。
【００２３】
前記ランプカバー２０は、透光部２０１及び連接部２０２を備える。前記連接部２０２の外周面には、雄ねじが形成されている。前記ランプカバー２０の連接部２０２を前記電球本体２１の環形収容凹部２１５に螺合すると、前記透光部２０１は、前記環形収容凹部２１５に対向して設置され、前記発光素子２１３からの光線は、前記透光部２０１を介して射出される。
【００２４】
前記ランプカバー２０は、透光体であり、樹脂、エポキシ樹脂、シリコンゴム、高分子ポリマー、透明ポリエステル光学材料、アクリル、ガラスなどの透光材料からなる。
【００２５】
前記口金２１４は、前記ランプハウジング２１１の前記環形収容凹部２１５の反対側の一端に接続する。
【００２６】
本実施形態において、前記ランプカバー２０は、出光面２０１ａ及び入光面２０１ｂを備える。前記入光面２０１ｂは、平面であり、前記電気回路基板２１２の前記発光素子２１３を実装する表面にほぼ平行する。前記入光面２０１ｂには、蛍光粉が塗布されており、異なる種類の蛍光粉によって前記ランプ２００の発光色を変更する。
【００２７】
以下、ランプカバーの他の構造に対して説明する。
【００２８】
図４に示したように、ランプカバー４０は、出光面４０１及び入光面４０２を備える。前記出光面４０１は、非球面の輪郭を有し、前記入光面４０２には、図３に示される発光素子２１３と光学的にカップリングする台形の鋸歯状突起４０２１が形成される。前記発光素子２１３からの光線は、前記鋸歯状突起４０２１から前記ランプカバー４０に入って、最終的に前記出光面４０１から射出する。
【００２９】
図５に示したように、ランプカバー５０は、出光面５０１及び入光面５０２を備える。前記出光面５０１は、非球面の輪郭を有し、その上に鋸歯状突起５０１１が形成される。前記鋸歯状突起５０１１は、その上に照射した光線を均一に拡散させる。
【００３０】
図６に示したように、ランプカバー６０は、出光面６０１及び入光面６０２を備える。前記出光面６０１は、非球面の輪郭を有し、前記入光面６０２には、鋸歯状突起６０３が形成される。前記鋸歯状突起６０３は、その上に照射した光線を拡散させて前記ランプカバー６０に均一に入射させる。前記出光面６０１の非球面の輪郭は、前記ランプ２００の配光曲線を蝙蝠翼型にし、照射範囲を広げる。
【００３１】
図７に示したように、ランプカバー７０は、出光面７０１及び入光面７０２を備える。前記出光面７０１は、半球面の輪郭を有し、前記入光面７０２は、前記出光面７０１に向かって凹んだ凹部７０３を形成する。前記凹部７０３の底面は、図３に示される電気回路基板２１２に対して斜めに形成される斜面７０２１及び前記斜面７０２１に連接する曲面７０２２を備える。図８に示したように、前記斜面７０２１が存在するため、前記ランプカバー７０を使用するランプの配光曲線は非対称である。前記斜面７０２１及び前記曲面７０２２の位置関係を変えて、前記配光曲線のタイプを変えることができる。
【００３２】
図９に示したように、ランプカバー８０は、出光面８０１及び入光面８０２を備える。前記出光面８０１の頂部には、漏斗状凹部８０３が形成される。前記漏斗状凹部８０３が存在するため、前記ランプカバー８０を使用するランプの配光曲線は蝙蝠翼型を呈する。
【００３３】
図１０に示したように、ランプカバー９０は、出光面９０１及び入光面９０２を備える。前記出光面９０１は、半球面の輪郭を有し、前記入光面９０２は、凸曲面９０２２及び該凸曲面９０２２に接続する円弧曲面９０２１を有する。図３に示される発光素子２１３からの光線は、前記凸曲面９０２２及び前記円弧曲面９０２１を透過すると発光角度が小さくなり、従って光線を効果的に集光する。
【００３４】
以上本発明を実施例に基づいて具体的に説明したが、本発明は、上述の実施例に限定されるものではなく、その要旨を逸脱しない範囲において、種々の変更が可能であることは勿論であって、本発明の保護範囲は、以下の特許請求の範囲によって定められる。
【符号の説明】
【００３５】
１０、２０、３０、４０、５０、６０、７０、８０、９０  ランプカバー
１１、２１  電球本体
１００、２００  ランプ
１０１、２０１  透光部
１０１ａ、２０１ａ、３０１、４０１、５０１、６０１、７０１、８０１、９０１  出光面
１０１ｂ、２０１ｂ、３０２、４０２、５０２、６０２、７０２、８０２、９０２  入光面
１０２、２０２  連接部
１０３、７０３  凹部
１１１、２１１  ランプハウジング
１１２、２１２  電気回路基板
１１３、２１３  発光素子
１１４、２１４  口金
１１５、２１５  環形収容凹部
３０３  貫通孔
６０３、４０２１、５０１１  鋸歯状突起
８０３  漏斗状凹部
７０２１  斜面
７０２２  曲面
９０２１  円弧曲面
９０２２  凸曲面
【図１】
2011034969.tif 000003
【図２】
2011034969.tif 000004
【図３】
2011034969.tif 000005
【図４】
2011034969.tif 000006
【図５】
2011034969.tif 000007
【図６】
2011034969.tif 000008
【図７】
2011034969.tif 000009
【図８】
2011034969.tif 000010
【図９】
2011034969.tif 000011
【図１０】
2011034969.tif 000012